(57)【要約】      （修正有）【課題】ウェブサイト上に掲載された広告の効果を計測する技術を提供する。【解決手段】広告効果判定システム１０において、広告配信・計測装置１００は、広告掲載ウェブサイト上でユーザによる広告に対する操作が行われたことを検出する操作検出手段と、広告に対する操作が行われたことを識別するための識別パラメータを発行する手段と、ユーザが操作するユーザ端末に記録されているｃｏｏｋｉｅに基づいてユーザが広告に対する効果を計測するためのウェブページに到達したことを検出したときに、広告掲載ウェブサイト上で操作された広告に対して広告効果が得られたことを判定する手段とを備える。ｃｏｏｋｉｅ付与装置２００は、識別パラメータ発行手段によって発行された識別パラメータを含み、広告に対する効果を計測するためのウェブページでファーストパーティー製ｃｏｏｋｉｅとして利用可能なｃｏｏｋｉｅを発行する手段を備える。【選択図】図１
2019159686.tif 000002
【特許請求の範囲】
【請求項１】
広告が掲載された広告掲載ウェブサイト上でユーザによる広告に対する操作が行われたことを検出する操作検出手段と、
前記操作検出手段によって前記広告に対する操作が検出されたときに、前記広告に対する操作が行われたことを識別するための識別パラメータを発行する識別パラメータ発行手段と、
前記識別パラメータ発行手段によって発行された前記識別パラメータを含み、前記広告に対する効果を計測するためのウェブページでファーストパーティー製ｃｏｏｋｉｅとして利用可能なｃｏｏｋｉｅを発行するｃｏｏｋｉｅ発行手段と、
ユーザが操作するユーザ端末に記録されている前記ｃｏｏｋｉｅ発行手段によって発行された前記ｃｏｏｋｉｅに基づいてユーザが前記広告に対する効果を計測するためのウェブページに到達したことを検出したときに、前記広告掲載ウェブサイト上で操作された広告に対して広告効果が得られたことを判定する判定手段とを備えることを特徴とする広告効果判定システム。
【請求項２】
請求項１に記載の広告効果判定システムにおいて、
前記ｃｏｏｋｉｅ発行手段には、前記広告に対する効果を計測するためのウェブページのドメインにサブドメインを付加したドメインが設定されており、
前記ｃｏｏｋｉｅ発行手段は、前記広告に対する効果を計測するためのウェブページに設定されているドメイン情報を用いて、前記識別パラメータを付加したｃｏｏｋｉｅを発行することにより、前記広告に対する効果を計測するためのウェブページでファーストパーティー製ｃｏｏｋｉｅとして利用可能なｃｏｏｋｉｅを発行することを特徴とする広告効果判定システム。
【請求項３】
請求項１または２に記載の広告効果判定システムにおいて、
前記広告に対する効果を計測するためのウェブページには、前記ユーザ端末に記録されている前記ｃｏｏｋｉｅに含まれる前記識別パラメータを送信するためのプログラムが埋め込まれており、
前記判定手段は、前記ユーザ端末から前記識別パラメータを受信したときに、ユーザが前記広告に対する効果を計測するためのウェブページに到達したことを検出することを特徴とする広告効果判定システム。
【請求項４】
請求項３に記載の広告効果判定システムにおいて、
前記判定手段は、前記ユーザ端末から前記識別パラメータを受信したときに、受信した前記識別パラメータと前記識別パラメータ発行手段によって発行された前記識別パラメータとを比較し、これらが一致している場合に、前記広告掲載ウェブサイトに掲載された広告に対して広告効果が得られたと判定することを特徴とする広告効果判定システム。
【請求項５】
広告配信・計測装置と、ｃｏｏｋｉｅ付与装置とが通信回線を介して接続された広告効果判定システムであって、
前記広告配信・計測装置は、
広告が掲載された広告掲載ウェブサイト上でユーザによる広告に対する操作が行われたことを検出する操作検出手段と、
前記操作検出手段によって前記広告に対する操作が検出されたときに、前記広告に対する操作が行われたことを識別するための識別パラメータを発行する識別パラメータ発行手段と、
ユーザが操作するユーザ端末に記録されているｃｏｏｋｉｅに基づいてユーザが前記広告に対する効果を計測するためのウェブページに到達したことを検出したときに、前記広告掲載ウェブサイト上で操作された広告に対して広告効果が得られたことを判定する判定手段とを備え、
前記ｃｏｏｋｉｅ付与装置は、
前記識別パラメータ発行手段によって発行された前記識別パラメータを含み、前記広告に対する効果を計測するためのウェブページでファーストパーティー製ｃｏｏｋｉｅとして利用可能な前記ｃｏｏｋｉｅを発行するｃｏｏｋｉｅ発行手段を備えることを特徴とする広告効果判定システム。
【請求項６】
請求項５に記載の広告効果判定システムにおいて、
前記ｃｏｏｋｉｅ付与装置には、前記広告に対する効果を計測するためのウェブページのドメインにサブドメインを付加したドメインが設定されており、
前記ｃｏｏｋｉｅ発行手段は、前記広告に対する効果を計測するためのウェブページに設定されているドメイン情報を用いて、前記識別パラメータを付加したｃｏｏｋｉｅを発行することにより、前記広告に対する効果を計測するためのウェブページでファーストパーティー製ｃｏｏｋｉｅとして利用可能なｃｏｏｋｉｅを発行することを特徴とする広告効果判定システム。
【請求項７】
請求項５または６に記載の広告効果判定システムにおいて、
前記広告に対する効果を計測するためのウェブページには、前記ユーザ端末に記録されている前記ｃｏｏｋｉｅに含まれる前記識別パラメータを送信するためのプログラムが埋め込まれており、
前記判定手段は、前記ユーザ端末から前記識別パラメータを受信したときに、ユーザが前記広告に対する効果を計測するためのウェブページに到達したことを検出することを特徴とする広告効果判定システム。
【請求項８】
請求項７に記載の広告効果判定システムにおいて、
前記判定手段は、前記ユーザ端末から前記識別パラメータを受信したときに、受信した前記識別パラメータと前記識別パラメータ発行手段によって発行された前記識別パラメータとを比較し、これらが一致している場合に、前記広告掲載ウェブサイトに掲載された広告に対して広告効果が得られたと判定することを特徴とする広告効果判定システム。
【請求項９】
広告が掲載された広告掲載ウェブサイト上でユーザによる広告に対する操作が行われたことを検出する操作検出手段と、
前記操作検出手段によって前記広告に対する操作が検出されたときに、前記広告に対する操作が行われたことを識別するための識別パラメータを発行する識別パラメータ発行手段と、
前記識別パラメータ発行手段によって発行された前記識別パラメータを含み、前記広告に対する効果を計測するためのウェブページでファーストパーティー製ｃｏｏｋｉｅとして利用可能なｃｏｏｋｉｅを発行するｃｏｏｋｉｅ発行手段と、
ユーザが操作するユーザ端末に記録されている前記ｃｏｏｋｉｅ発行手段によって発行された前記ｃｏｏｋｉｅに基づいてユーザが前記広告に対する効果を計測するためのウェブページに到達したことを検出したときに、前記広告掲載ウェブサイト上で操作された広告に対して広告効果が得られたことを判定する判定手段とを備えることを特徴とする広告効果判定装置。
【請求項１０】
請求項９に記載の広告効果判定装置において、
前記ｃｏｏｋｉｅ発行手段には、前記広告に対する効果を計測するためのウェブページのドメインにサブドメインを付加したドメインが設定されており、
前記ｃｏｏｋｉｅ発行手段は、前記広告に対する効果を計測するためのウェブページに設定されているドメイン情報を用いて、前記識別パラメータを付加したｃｏｏｋｉｅを発行することにより、前記広告に対する効果を計測するためのウェブページでファーストパーティー製ｃｏｏｋｉｅとして利用可能なｃｏｏｋｉｅを発行することを特徴とする広告効果判定装置。
【請求項１１】
請求項９または１０に記載の広告効果判定装置において、
前記広告に対する効果を計測するためのウェブページには、前記ユーザ端末に記録されている前記ｃｏｏｋｉｅに含まれる前記識別パラメータを送信するためのプログラムが埋め込まれており、
前記判定手段は、前記ユーザ端末から前記識別パラメータを受信したときに、ユーザが前記広告に対する効果を計測するためのウェブページに到達したことを検出することを特徴とする広告効果判定装置。
【請求項１２】
請求項１１に記載の広告効果判定装置において、
前記判定手段は、前記ユーザ端末から前記識別パラメータを受信したときに、受信した前記識別パラメータと前記識別パラメータ発行手段によって発行された前記識別パラメータとを比較し、これらが一致している場合に、前記広告掲載ウェブサイトに掲載された広告に対して広告効果が得られたと判定することを特徴とする広告効果判定装置。
【発明の詳細な説明】
【技術分野】
【０００１】
本発明は、広告効果判定システム、および広告効果判定装置に関する。
【背景技術】
【０００２】
次のようなネットワーク広告配信管理システムが知られている。このネットワーク広告配信管理システムは、顧客の端末が任意の広告掲載サイト装置の広告掲載用ページを通じて任意の商用サイト装置に初回目のアクセスをしたら、その顧客の識別情報とその初回時に経由した広告掲載サイトの識別情報とを組みにして当該商用サイトの初回アクセス情報として記憶しておき、当該顧客が当該商用サイトに二回目以降のアクセスをして商品購入などの行為を行うと、その顧客行為に応じて初回褒賞金を当該初回時の広告掲載サイトに支払うように構成されている（例えば、特許文献１）。
【先行技術文献】
【特許文献】
【０００３】
【特許文献１】特開２００２−２４６８７号公報
【発明の概要】
【発明が解決しようとする課題】
【０００４】
従来のネットワーク広告配信管理システムでは、一般的にサードパーティ製のｃｏｏｋｉｅ（クッキー）を用いてウェブページの遷移を追跡することによって、広告効果を計測して報奨金を支払う仕組みがとられていた。しかしながら、近年、プライバシー保護の観点や市場環境の変化に伴ってサードパーティ製ｃｏｏｋｉｅを用いたページ遷移の追跡が困難となり、広告効果の計測を正確に行うことができないケースが増えてきた。このため、新たに広告効果の計測を行うことができる仕組みが求められているが、従来は、このような方法について何ら検討されていなかった。
【課題を解決するための手段】
【０００５】
本発明による広告効果判定システムは、広告が掲載された広告掲載ウェブサイト上でユーザによる広告に対する操作が行われたことを検出する操作検出手段と、操作検出手段によって広告に対する操作が検出されたときに、広告に対する操作が行われたことを識別するための識別パラメータを発行する識別パラメータ発行手段と、識別パラメータ発行手段によって発行された識別パラメータを含み、広告に対する効果を計測するためのウェブページでファーストパーティー製ｃｏｏｋｉｅとして利用可能なｃｏｏｋｉｅを発行するｃｏｏｋｉｅ発行手段と、ユーザが操作するユーザ端末に記録されているｃｏｏｋｉｅ発行手段によって発行されたｃｏｏｋｉｅに基づいてユーザが広告に対する効果を計測するためのウェブページに到達したことを検出したときに、広告掲載ウェブサイト上で操作された広告に対して広告効果が得られたことを判定する判定手段とを備えることを特徴とする。
本発明による広告効果判定システムは、広告配信・計測装置と、ｃｏｏｋｉｅ付与装置とが通信回線を介して接続され、広告配信・計測装置は、広告が掲載された広告掲載ウェブサイト上でユーザによる広告に対する操作が行われたことを検出する操作検出手段と、操作検出手段によって広告に対する操作が検出されたときに、広告に対する操作が行われたことを識別するための識別パラメータを発行する識別パラメータ発行手段と、ユーザが操作するユーザ端末に記録されているｃｏｏｋｉｅに基づいてユーザが広告に対する効果を計測するためのウェブページに到達したことを検出したときに、広告掲載ウェブサイト上で操作された広告に対して広告効果が得られたことを判定する判定手段とを備え、ｃｏｏｋｉｅ付与装置は、識別パラメータ発行手段によって発行された識別パラメータを含み、広告に対する効果を計測するためのウェブページでファーストパーティー製ｃｏｏｋｉｅとして利用可能なｃｏｏｋｉｅを発行するｃｏｏｋｉｅ発行手段を備えることを特徴とする。
本発明による広告効果判定装置は、広告が掲載された広告掲載ウェブサイト上でユーザによる広告に対する操作が行われたことを検出する操作検出手段と、操作検出手段によって広告に対する操作が検出されたときに、広告に対する操作が行われたことを識別するための識別パラメータを発行する識別パラメータ発行手段と、識別パラメータ発行手段によって発行された識別パラメータを含み、広告に対する効果を計測するためのウェブページでファーストパーティー製ｃｏｏｋｉｅとして利用可能なｃｏｏｋｉｅを発行するｃｏｏｋｉｅ発行手段と、ユーザが操作するユーザ端末に記録されているｃｏｏｋｉｅ発行手段によって発行されたｃｏｏｋｉｅに基づいてユーザが広告に対する効果を計測するためのウェブページに到達したことを検出したときに、広告掲載ウェブサイト上で操作された広告に対して広告効果が得られたことを判定する判定手段とを備えることを特徴とする。
【発明の効果】
【０００６】
本発明によれば、広告に対する効果を計測するためのウェブページでファーストパーティー製ｃｏｏｋｉｅとして利用可能なｃｏｏｋｉｅを利用するため、従来のサードパーティ製ｃｏｏｋｉｅを用いた場合の問題点を解消して、精度高く広告効果の計測を行うことができる。また、ｃｏｏｋｉｅを付与するための装置をあらかじめ用意しておくことにより、商用サイト側での広告計測に関するプログラム開発の手間や費用を軽減することができる。
【図面の簡単な説明】
【０００７】
【図１】広告効果判定システム１０の一実施の形態の構成を示すブロック図である。
【図２】広告配信・計測装置１００の一実施の形態の構成を示すブロック図である。
【図３】ｃｏｏｋｉｅ付与装置２００の一実施の形態の構成を示すブロック図である。
【図４】ウェブページの遷移例を示す図である。
【図５】広告配信・計測装置１００で実行されるクリック識別パラメータ発行処理の流れを示すフローチャート図である。
【図６】広告配信・計測装置１００で実行される広告効果判定処理の流れを示すフローチャート図である。
【図７】ｃｏｏｋｉｅ付与装置２００で実行される処理の流れを示すフローチャート図である。
【発明を実施するための形態】
【０００８】
図１は、本実施の形態における広告効果判定システム１０の一実施の形態の構成を示すブロック図である。広告効果判定システム１０では、広告配信・計測装置１００と、ｃｏｏｋｉｅ付与装置２００とが通信回線を介して接続されている。
【０００９】
図２は、本実施の形態における広告配信・計測装置１００の一実施の形態の構成を示すブロック図である。広告配信・計測装置１００は、インターネットに接続された装置であって、例えば、パソコンやサーバなどが用いられる。図２は、本実施の形態における広告配信・計測装置１００として、サーバ装置を用いた場合の一実施の形態の構成を示している。広告配信・計測装置１００は、接続インターフェース１０１と、制御装置１０２と、記憶媒体１０３とを備えている。
【００１０】
接続インターフェース１０１は、広告配信・計測装置１００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、広告配信・計測装置１００は、接続インターフェース１０１を介してｃｏｏｋｉｅ付与装置２００と通信する。
【００１１】
制御装置１０２は、ＣＰＵ、メモリ、およびその他の周辺回路によって構成され、広告配信・計測装置１００の全体を制御する。なお、制御装置１０２を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース１０１を介して読み込まれたデータは、バッファメモリに一時的に記録される。
【００１２】
記憶媒体１０３は、広告配信・計測装置１００が蓄える種々のデータや、制御装置１０２が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体１０３に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体１０３にインストールすることによって、制御装置１０２がプログラムを実行できるようになる。
【００１３】
図３は、本実施の形態におけるｃｏｏｋｉｅ付与装置２００の一実施の形態の構成を示すブロック図である。ｃｏｏｋｉｅ付与装置２００は、インターネットに接続された装置であって、例えば、パソコンやサーバなどが用いられる。図３は、本実施の形態におけるｃｏｏｋｉｅ付与装置２００として、サーバ装置を用いた場合の一実施の形態の構成を示している。ｃｏｏｋｉｅ付与装置２００は、接続インターフェース２０１と、制御装置２０２と、記憶媒体２０３とを備えている。
【００１４】
接続インターフェース２０１は、ｃｏｏｋｉｅ付与装置２００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、ｃｏｏｋｉｅ付与装置２００は、接続インターフェース２０１を介して広告配信・計測装置１００と通信する。
【００１５】
制御装置２０２は、ＣＰＵ、メモリ、およびその他の周辺回路によって構成され、ｃｏｏｋｉｅ付与装置２００の全体を制御する。なお、制御装置２０２を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース２０１を介して読み込まれたデータは、バッファメモリに一時的に記録される。
【００１６】
記憶媒体２０３は、ｃｏｏｋｉｅ付与装置２００が蓄える種々のデータや、制御装置２０２が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体２０３に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体２０３にインストールすることによって、制御装置２０２がプログラムを実行できるようになる。
【００１７】
本実施の形態における広告効果判定システム１０は、ウェブサイトに掲載された広告に対して操作を行ったユーザのその後の行動を追跡して、広告効果が得られたかどうかを判定するための仕組みを提供する。なお、ウェブサイトに掲載された広告は、例えば、ウェブページ上に配置されたバナー広告などを想定する。また、ウェブサイトに掲載された広告に対するユーザの操作は、例えばマウスを用いたクリック操作や、タッチパネル上でのタッチ操作などが想定される。
【００１８】
本実施の形態では、例えば図４に示すようなページ遷移を想定する。ユーザがパソコンやスマートフォンなどのユーザ端末を操作して、広告が掲載された広告掲載ウェブサイト（ａａ．ｃｏｍ）上で広告をクリックすると、広告配信・計測装置１００（ｐｘ．ａ８．ｎｅｔ）でユーザによるクリックを識別するためのクリック識別パラメータ（ａｂｃｄｅｆｇ）を発行し、その値を含めてｃｏｏｋｉｅ付与装置２００（ｃｌｋ．ｅｅ．ｃｏｍ）でユーザ追跡用のｃｏｏｋｉｅを発行してから、広告がクリックされた際のランディングページである広告主ＬＰ（ｂｂ．ｃｏｍ）がユーザ端末上に表示される。その後、ユーザが広告主ＬＰ（ｂｂ．ｃｏｍ）上で商品の購入を行う場合は、商品を入れるカートシステム（ｃｃ．ｃｏｍ）、商品代金の決済を行う決済システム（ｄｄ．ｃｏｍ）を経由し、購入手続が完了すると完了ページ（ｅｅ．ｃｏｍ）が表示される。本実施の形態では、完了ページ（ｅｅ．ｃｏｍ）は、広告効果を測定するためのページを兼ねており、完了ページに至った場合に、広告配信・計測装置１００（ｐｘ．ａ８．ｎｅｔ）において広告効果が得られたと判定する。
【００１９】
本実施の形態では、上記のように、ｃｏｏｋｉｅ付与装置２００（ｃｌｋ．ｅｅ．ｃｏｍ）にはサブドメインとしてｃｌｋを割り当てることにより、ｃｏｏｋｉｅ付与装置２００（ｃｌｋ．ｅｅ．ｃｏｍ）と完了ページ（ｅｅ．ｃｏｍ）のドメイン（ｅｅ．ｃｏｍ）を一致させておく。これによって、後述する処理において、ｃｏｏｋｉｅ付与装置２００で完了ページにおいてファーストパーティー製のｃｏｏｋｉｅとして利用可能なｃｏｏｋｉｅを発行することが可能となる。なお、上記の説明において、カッコ内に記したドメインやクリック識別パラメータはあくまでも一例であって、これに限定されるものではない。以下、本実施の形態における処理の詳細について説明する。
【００２０】
本実施の形態では、広告掲載ウェブサイトには、広告配信・計測装置１００へアクセスするための情報として、広告配信・計測装置１００のＵＲＬ（ｈｔｔｐｓ：／／ｐｘ．ａ８．ｎｅｔ）に各種パラメータを付加したＵＲＬがリンク先情報として設定された広告が掲載されている。ＵＲＬに付加されるパラメータには、例えば、広告掲載ウェブサイトを特定するために用いる経由メディア情報、クリックされた広告を特定するために用いる経由広告情報、広告がクリックされた場合の遷移先を示す広告遷移先を特定するために用いる広告遷移先情報などが含まれる。
【００２１】
ユーザがユーザ端末を操作して広告掲載ウェブサイト上で広告をクリックすると、リンク先情報に基づいて広告配信・計測装置１００（ｐｘ．ａ８．ｎｅｔ）にアクセスが行われる。広告配信・計測装置１００（ｐｘ．ａ８．ｎｅｔ）では、ユーザ端末からのアクセスを受け付けると、制御装置１０２は、広告掲載ウェブサイト上で広告がクリックされたことを検出する。そして、制御装置１０２は、ユーザによる広告のクリックを識別するためのクリック識別パラメータ（ａｂｃｄｅｆｇ）を発行する。
【００２２】
制御装置１０２は、ｃｏｏｋｉｅ付与装置２００のＵＲＬ（ｈｔｔｐｓ：／／ｃｌｋ．ｅｅ．ｃｏｍ）に、発行したクリック識別パラメータと、パラメータに含まれる広告遷移先情報とを含めたリダイレクト情報を生成し、ユーザ端末をｃｏｏｋｉｅ付与装置２００へリダイレクトさせる。例えば、本実施の形態では、「ｈｔｔｐｓ：／／ｃｌｋ．ｅｅ．ｃｏｍ？ａ８＝ａｂｃｄｅｆｇ＆ｕｒｌ＝ｈｔｔｐｓ：／／ｂｂ．ｃｏｍ」のようなリダイレクト情報が生成され、ユーザ端末上でリダイレクト処理が行われる。
【００２３】
ｃｏｏｋｉｅ付与装置２００では、制御装置２０２は、広告配信・計測装置１００からのリダイレクトによりユーザ端末からアクセスされたことを検出すると、ユーザ端末がアクセスに利用したリダイレクト情報に広告配信・計測装置１００で発行されたクリック識別パラメータが含まれているかを判定する。すなわち、制御装置２０２は、リダイレクト情報を介してクリック識別パラメータを受け取ったか否かを判定する。
【００２４】
制御装置２０２は、クリック識別パラメータを受け取ったと判定した場合には、完了ページと同じドメイン（ｅｅ．ｃｏｍ）のｃｏｏｋｉｅ情報にクリック識別パラメータを付加したｃｏｏｋｉｅを発行する。すなわち、制御装置２０２は、完了ページと同じドメイン情報（ｅｅ．ｃｏｍ）を用いてクリック識別パラメータを付加したｃｏｏｋｉｅを発行する。例えば、本実施の形態では、「ｅｅ．ｃｏｍ  ａ８＝ａｂｃｄｅｆｇ」のようなｃｏｏｋｉｅが発行される。なお、ここでは説明のためにｃｏｏｋｉｅを簡略化して表記しているが、実際は公知のｃｏｏｋｉｅのフォーマットに従って、ドメインとクリック識別パラメータを含んだｃｏｏｋｉｅが発行される。
【００２５】
本実施の形態では、このように、完了ページと同じドメインのｃｏｏｋｉｅを用いることにより、完了ページでファーストパーティー製ｃｏｏｋｉｅとして利用可能なｃｏｏｋｉｅを発行することができる。ここで発行されたファーストパーティー製ｃｏｏｋｉｅは、ユーザ端末上の各ブラウザに保存される。
【００２６】
その後、制御装置２０２は、ユーザ端末がアクセスに利用したリダイレクト情報に含まれる広告遷移先情報に基づいて、ユーザ端末を広告主ＬＰへリダイレクトさせるためのリダイレクト情報を生成し、ユーザ端末をリダイレクトさせる。これによって、ユーザ端末上では、広告遷移先情報であるｈｔｔｐｓ：／／ｂｂ．ｃｏｍへのリダイレクト処理が行われ、ユーザ端末上に広告主ＬＰ（ｂｂ．ｃｏｍ）が表示される。
【００２７】
その後は、上述したように、ユーザの操作に基づいて、広告主ＬＰ（ｂｂ．ｃｏｍ）、カートシステム（ｃｃ．ｃｏｍ）、決済システム（ｄｄ．ｃｏｍ）、完了ページ（ｅｅ．ｃｏｍ）とドメイン変化を伴うページ遷移が行われるが、ブラウザに保存されたｃｏｏｋｉｅを用いて、完了ページで広告効果を計測することができる。
【００２８】
完了ページ（ｅｅ．ｃｏｍ）には、ブラウザにｃｏｏｋｉｅ付与装置２００で発行されたｃｏｏｋｉｅが保存されている場合には、ｃｏｏｋｉｅに含まれるクリック識別パラメータを広告配信・計測装置１００へ送信するためのプログラムが埋め込まれている。ユーザ端末では、完了ページ（ｅｅ．ｃｏｍ）が表示されたタイミングでこのプログラムが実行され、クリック識別パラメータ（ａｂｃｄｅｆｇ）が広告配信・計測装置１００へ通知される。
【００２９】
広告配信・計測装置１００では、制御装置１０２は、クリック識別パラメータ（ａｂｃｄｅｆｇ）を受信すると、ユーザが広告に対する効果を計測するためのウェブページ、すなわち完了ページに到達したことを検出する。これによって、制御装置１０２は、広告掲載ウェブサイト上で広告をクリックしたユーザが完了ページへ至ったことを判定することができるため、例えば、広告をクリックしたユーザによって商品が購入されるなど、広告効果が得られたときに、広告主から広告掲載ウェブサイトの管理者に対して報酬を支払うといった場合に、広告効果が得られたことを正確に判定することができる。なお、上述した処理において、ユーザ端末上で実行されるリダイレクト処理やクッキーの保存処理は、公知の処理であるため説明を省略する。
【００３０】
本実施の形態では、制御装置１０２は、広告効果が得られたことを判定するに当たり、以下の処理を行う。制御装置１０２は、クリック識別パラメータを発行した際に、発行したクリック識別パラメータを記憶媒体１０３に記録しておき、ユーザ端末からクリック識別パラメータを受信したときには、受信したクリック識別パラメータが記憶媒体１０３に記録されているクリック識別パラメータと一致するか否かを判定する。その結果、受信したクリック識別パラメータが記憶媒体１０３に記録されているクリック識別パラメータと一致する場合に、広告掲載ウェブサイト上に掲載された広告に対して、広告効果が得られたと判定する。
【００３１】
図５は、本実施の形態における広告配信・計測装置１００で実行されるクリック識別パラメータ発行処理の流れを示すフローチャートである。図５に示す処理は、上述したリンク先情報に基づいてユーザ端末からのアクセスを受け付けると起動するプログラムとして、制御装置１０２によって実行される。
【００３２】
ステップＳ１０において、制御装置１０２は、上述したように、ユーザによる広告のクリックを識別するためのクリック識別パラメータを発行する。その後、ステップＳ２０へ進む。
【００３３】
ステップＳ２０では、制御装置１０２は、上述したように、ｃｏｏｋｉｅ付与装置２００へのリダイレクト情報を生成し、ユーザ端末上でｃｏｏｋｉｅ付与装置２００へリダイレクトさせる。その後、処理を終了する。
【００３４】
図６は、本実施の形態における広告配信・計測装置１００で実行される広告効果判定処理の流れを示すフローチャートである。図６に示す処理は、上述したように、完了ページに埋め込まれたプログラムによってユーザ端末から送信されたクリック識別パラメータを受信すると起動するプログラムとして、制御装置１０２によって実行される。
【００３５】
ステップＳ３０では、制御装置１０２は、上述したように、ユーザ端末から受信したクリック識別パラメータが図５のステップＳ１０で発行したクリック識別パラメータと一致するか否かを判断する。ステップＳ３０で否定判断した場合には、処理を終了する。これに対して、ステップＳ３０で肯定判断した場合には、ステップＳ４０へ進む。
【００３６】
ステップＳ４０では、制御装置１０２は、広告掲載ウェブサイト上でクリックされた広告に対して、広告効果が得られたと判定する。その後、処理を終了する。
【００３７】
図７は、本実施の形態におけるｃｏｏｋｉｅ付与装置２００で実行される処理の流れを示すフローチャートである。図７に示す処理は、上述したように、広告配信・計測装置１００からのリダイレクトによりユーザ端末からのアクセスを受け付けると起動するプログラムとして、制御装置２０２によって実行される。
【００３８】
ステップＳ１１０において、制御装置２０２は、ユーザ端末がアクセスに利用したリダイレクト情報に広告配信・計測装置１００で発行されたクリック識別パラメータが含まれているか否かを判定する。ステップＳ１１０で否定判断した場合には、処理を終了する。一方、ステップＳ１１０肯定判断した場合には、ステップＳ１２０へ進む。
【００３９】
ステップＳ１２０において、制御装置２０２は、上述したように、完了ページと同じドメインのｃｏｏｋｉｅにクリック識別パラメータを付加したファーストパーティー製のｃｏｏｋｉｅを発行する。その後、ステップＳ１３０へ進む。
【００４０】
ステップＳ１３０では、制御装置２０２は、上述したように、ユーザ端末がアクセスに利用したリダイレクト情報に含まれる広告遷移先情報に基づいて、ユーザ端末を広告主ＬＰへリダイレクトさせるためのリダイレクト情報を生成し、ユーザ端末を広告主ＬＰへリダイレクトさせる。その後、処理を終了する。
【００４１】
以上説明した実施の形態によれば、以下のような作用効果を得ることができる。
（１）広告配信・計測装置１００では、制御装置１０２は、広告が掲載された広告掲載ウェブサイト上でユーザによる広告に対する操作が行われたことを検出したときに、広告に対する操作が行われたことを識別するためのクリック識別パラメータを発行し、ユーザが操作するユーザ端末に記録されているｃｏｏｋｉｅに基づいてユーザが広告に対する効果を計測するためのウェブページに到達したことを検出したときに、広告掲載ウェブサイト上で操作された広告に対して、広告効果が得られたことを判定するようにした。また、ｃｏｏｋｉｅ付与装置２００では、制御装置２０２は、識別パラメータ発行手段によって発行された識別パラメータを含み、広告に対する効果を計測するためのウェブページでファーストパーティー製ｃｏｏｋｉｅとして利用可能なｃｏｏｋｉｅを発行して、ユーザ端末のブラウザに記録させるようにした。このように、ｃｏｏｋｉｅ付与装置２００で発行するｃｏｏｋｉｅを広告に対する効果を計測するための完了ページでファーストパーティー製ｃｏｏｋｉｅとして利用可能なｃｏｏｋｉｅとすることによって、サードパーティ製ｃｏｏｋｉｅに対して制限がかけられたユーザ環境においても広告効果の計測を可能とすることができる。また、ユーザが広告をクリックしてから完了ページに至るまでの間に、ドメイン変化を伴うページ遷移があったとしても、ブラウザに記録されているファーストパーティー製ｃｏｏｋｉｅを用いて広告効果を判定することが可能となる。
【００４２】
（２）ｃｏｏｋｉｅ付与装置２００には、広告に対する効果を計測するための完了ページのドメインにサブドメインを付加したドメインが設定されており、制御装置２０２は、広告に対する効果を計測するための完了ページに設定されているドメイン情報を用いて、識別パラメータを付加したｃｏｏｋｉｅを発行することにより、完了ページでファーストパーティー製ｃｏｏｋｉｅとして利用可能なｃｏｏｋｉｅを発行するようにした。このように、ｃｏｏｋｉｅ付与装置２００に完了ページのドメインにサブドメインを付加したドメインを設定しておくことにより、制御装置２０２は、完了ページのドメインと同じドメインを用いたファーストパーティー製ｃｏｏｋｉｅを発行することができる。
【００４３】
（３）広告配信・計測装置１００の制御装置１０２は、ユーザ端末からｃｏｏｋｉｅに含まれるクリック識別パラメータに基づいて送信されるリクエストを受信することにより、ユーザが広告に対する効果を計測するためのウェブページに到達したことを検出するようにした。これによって、ユーザが完了ページに到達したことを漏れなく検出することが可能となる。
【００４４】
（４）制御装置１０２は、ユーザ端末からクリック識別パラメータを受信したときに、受信したクリック識別パラメータと自身で発行した識別パラメータとを比較し、これらが一致している場合に、広告掲載ウェブサイトに掲載された広告に対して広告効果が得られたと判定するようにした。これによって、制御装置１０２が発行したクリック識別パラメータをユーザ端末から受信したタイミングで、精度高く広告効果が得られたことを判定することができる。
【００４５】
―変形例―
なお、上述した実施の形態の広告効果判定システムは、以下のように変形することもできる。
（１）上述した実施の形態では、広告配信・計測装置１００とｃｏｏｋｉｅ付与装置２００は別の装置とする例について説明したが、これらは１つの装置として、該１つの装置が広告効果判定装置として図５と図６に示した処理を実行するようにしてもよい。
【００４６】
（２）上述した実施の形態では、図４に示したページ遷移を想定して処理の説明を行った。しかしながら、広告が掲載された広告掲載ウェブサイト（ａａ．ｃｏｍ）で広告をクリックしたユーザが完了ページ（ｅｅ．ｃｏｍ）に至ったときに広告効果を計測する構成であれば、途中のページ遷移は図４の例に限定されない。
【００４７】
（３）上述した実施の形態では、ｃｏｏｋｉｅ付与装置２００において、例えば「ｅｅ．ｃｏｍ  ａ８＝ａｂｃｄｅｆｇ」のようなｃｏｏｋｉｅが発行される例について説明した。しかしながら、発行されるｃｏｏｋｉｅの例はこれに限定されるものではない。例えば、ｃｏｏｋｉｅの「ｅｅ．ｃｏｍ」の部分が「．ｅｅ．ｃｏｍ」であってもよい。また、より具体的には、「ａ８＝ａｂｃｄｅｆｇ；  ｄｏｍａｉｎ＝．ｅｅ．ｃｏｍ；」のようなｃｏｏｋｉｅを発行するようしてもよい。
【００４８】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００４９】
１０  広告効果判定システム
１００  広告配信・計測装置
１０１  接続インターフェース
１０２  制御装置
１０３  記憶媒体
２００  ｃｏｏｋｉｅ付与装置
２０１  接続インターフェース
２０２  制御装置
２０３  記憶媒体
【図１】
2019159686.tif 000003
【図２】
2019159686.tif 000004
【図３】
2019159686.tif 000005
【図４】
2019159686.tif 000006
【図５】
2019159686.tif 000007
【図６】
2019159686.tif 000008
【図７】
2019159686.tif 000009